(57)【特許請求の範囲】
【請求項１】
自動販売機本体側に設けられたロック部材と、扉側に配置された上下に移動可能なスライド部材とを備え、スライド部材を移動させてロック部材と係合状態にすることにより自動販売機本体に扉をロックさせる自動販売機の扉ロック機構において、
前記スライド部材は、上下に配置された複数のスライド部材本体と、これらスライド部材本体を連結する連結部材からなり、複数のスライド部材本体と連結部材とが一体となって上下に移動可能であり、
自動販売機の扉の内側に設けられ、連結部材及び何れかのスライド部材本体の双方と係合することにより、スライド部材とロック部材が係合した状態からのスライド部材の移動を阻止するストッパ機構とを備え、
該ストッパ機構は扉に設けられた錠と連結し、該錠を施錠方向に操作すると連結部材及び何れかのスライド部材本体の双方と係合状態となり、前記錠を解錠方向に操作すると前記係合状態が解かれる
ことを特徴とする自動販売機の扉ロック機構。
【請求項２】
上側に配置された前記スライド部材にはストッパ機構と係合するストッパ孔を形成するとともに、連結部上端が該ストッパ孔の下縁部とほぼ同一高さとなるように前記連結部材を配置した
ことを特徴とする請求項１記載の自動販売機の扉ロック機構。
【発明の詳細な説明】
【０００１】
【発明の属する技術分野】
本発明は、本体前面を開閉する扉を閉状態でロックする自動販売機の扉ロック機構に関するものである。
【０００２】
【従来の技術】
従来、この種の自動販売機のロック機構としては、例えば特開平５−２１４２５号公報に記載されたものが知られている。この従来の自動販売機のロック機構について図６を参照して説明する。図６は従来の自動販売機の扉ロック機構を説明する概略斜視図である。
【０００３】
自動販売機１０１は、前面開口の自動販売機本体１０２と、自動販売機本体１０２の前面を開閉する外扉１０３とを備えたものである。自動販売機本体１０２の開口部前端には、複数のロック板１０４が上下に配置されている。各ロック板１０４の下部には下向きに開口するロック溝１０４ａが形成されている。外扉１０３の内側には、上下に移動可能なスライド板１０５が配置されている。このスライド板１０５は、断面Ｌ字状に折り曲げ形成した上下に延びる板状部材であり、前記ロック板１０４と対応した高さ位置には係止孔１０５ａが開口している。また、外扉１０３の前面側には付設する錠により回動を制限されたハンドル１０６が設けられている。さらに、外扉１０３の内側には、ハンドル１０６の回動操作にリンクして前記スライド板１０５を上下に移動させるリンク機構１０７が設けられている。
【０００４】
この自動販売機１０１では、外扉１０３を閉状態でロックするには、スライド板１０５が上方に移動している状態で外扉１０３を閉鎖すれば、ロック板１０４が、その前端に係止孔１０５ａの下縁部が当接して押し上げられ、その後にロック溝１０４ａと係止孔１０５ａの下端部が係合状態となる。これにより、外扉１０３が自動販売機本体１０２に閉状態でロックされるので、ハンドル１０６の錠を施錠すればよい。
【０００５】
また、外扉１０３を開放するには、まず錠を解錠し、ハンドル１０６を回動操作することによりスライド板１０５を下方に移動させる。これにより、スライド板１０５とロック板１０４との係合が解除されるので、ハンドル１０６を手前に引けば外扉１０３が開放される。
【０００６】
【発明が解決しようとする課題】
ところで近年、自動販売機に収容された商品や現金の盗難手口が巧妙化しており、従来よりも防盗効果が高い自動販売機の扉ロック機構が求められている。すなわち、従来の自動販売機１０１では、何らかの手段によりハンドル１０６の錠やリンク機構１０７を破壊してしまえば、スライド板１０５の上下移動が可能となるため、外扉１０３のロック状態が解除されてしまうものであった。
【０００７】
本発明は、上記事情に鑑みてなされたものであり、その目的とするところは、防盗効果の高い自動販売機の扉ロック機構を提供することにある。
【０００８】
【課題を解決するための手段】
上記目的を達成するために、請求項１の発明では、自動販売機本体側に設けられたロック部材と、扉側に配置された上下に移動可能なスライド部材とを備え、スライド部材を移動させてロック部材と係合状態にすることにより自動販売機本体に扉をロックさせる自動販売機の扉ロック機構において、前記スライド部材は、上下に配置された複数のスライド部材本体と、これらスライド部材本体を連結する連結部材からなり、複数のスライド部材本体と連結部材とが一体となって上下に移動可能であり、自動販売機の扉の内側に設けられ、連結部材及び何れかのスライド部材本体の双方と係合することにより、スライド部材とロック部材が係合した状態からのスライド部材の移動を阻止するストッパ機構とを備え、該ストッパ機構は扉に設けられた錠と連結し、該錠を施錠方向に操作すると連結部材及び何れかのスライド部材本体の双方と係合状態となり、前記錠を解錠方向に操作すると前記係合状態が解かれることを特徴とするものを提案する。
【０００９】
本発明によれば、スライド部材を上下に移動させてロック部材と係合させるための機構を悪戯や破壊等しても、スライド部材とロック部材が係合した状態からのスライド部材の移動を阻止するストッパ機構により、スライド部材がロック状態から移動することがない。また、スライド部材が複数のスライド部材本体と連結部材とからなるとともに、前記ストッパ機構は連結部材及び何れかのスライド部材本体の双方と係合する構造となっているので、悪戯等により当該連結が解除されて何れかのスライド部材本体又は連結部材とストッパ機構との係合が解除されても、他の連結部材又はスライド部材本体との係合が維持されていれば、扉のロック状態を維持することができる。
【００１０】
本発明の好適な態様の一例として、請求項２の発明では、請求項１記載の自動販売機の扉ロック機構において、上側に配置された前記スライド部材にはストッパ機構と係合するストッパ孔を形成するとともに、連結部上端が該ストッパ孔の下縁部とほぼ同一高さとなるように前記連結部材を配置したことを特徴とするものを提案する。
【００１１】
本発明によれば、例えば悪戯等により上側のスライド部材本体と連結部材との連結が解除され、上側のスライド部材本体とストッパ機構との係合が解除された場合には、上側のスライド部材本体が上下に移動可能となるので、上側のスライド部材本体とロック部材との係合が解除されることになる。しかしならが、この場合においても、連結部材の連結部上端がストッパ機構と係合するので、当該連結部材及びこれに連結する下側のスライド部材本体の移動を阻止して、扉のロック状態を維持することができる。
【００１２】
【発明の実施の形態】
本発明の一実施の形態にかかる自動販売機の扉ロック機構について図１〜図５を参照して説明する。図１は自動販売機の外観斜視図、図２は自動販売機の扉ロック機構を説明する概略斜視図、図３はスライド板及びストッパ機構の拡大斜視図、図４はストッパ機構を説明する外扉の拡大断面図、図５はストッパ機構を説明する外扉の拡大背面図である。
【００１３】
この自動販売機は、図１に示すように、前面開口の自動販売機本体２と、自動販売機本体２の前面を開閉する外扉３とを備えたものである。外扉３の前面上部には商品見本を設置する陳列部３ａ、商品取り出し口３ｂ、商品選択ボタン（図示省略）等が設置されている。また、外扉３の左右一方（本実施の形態では右側）には、外扉３を開放するためのハンドル４と、ハンドル４に埋め込まれた第１の錠５が設置されている。このハンドル４は、第１の錠５の解錠により前方に進出し、進出したハンドル４を回動を操作することにより外扉３を開放可能とするものである。さらに、ハンドル４の下方には第２の錠６が設置されており、外扉３の開放には当該第２の錠６の解錠をも必要としている。また、第１の錠５及び第２の錠６には、それぞれ第１の鍵Ｋ１及び第２の鍵Ｋ２が対応する。
【００１４】
自動販売機本体２の開口部前端には、図２に示すように、複数（本実施の形態では３個）のロック板７が上下に配置されている。このロック板７の上縁部には、上向きに開口するロック溝７ａが形成されている。また、ロック板７は、上方に向かうにしたがって徐々に後退するような傾斜が設けられている。さらに、ロック板７は所定距離だけ下方に回動するように設置されている。
【００１５】
外扉３の内側には、ロック板７と係合することにより外扉３を自動販売機本体２にロックするために、上下に移動可能なスライド板８が配置されている。このスライド板８は、複数（本実施の形態では２つ）のスライド板本体８１と、各スライド板本体８１を連結する連結板８２とからなる。各スライド板本体８１及び連結板８２は、断面略Ｌ字状に屈曲して上下に延びる板状部材であり、スライド板本体８１と連結板８２は互いに９０度回転した状態で連結してある。
【００１６】
上側のスライド板本体８１の上部及び下部並びに下側のスライド板本体８１の下部には、前記ロック板７と対応する位置に係止孔８１ａが形成されている。この係止孔８１ａの上縁部は、それぞれ前記ロック板７のロック溝７ａとの係合部をなすものである。また、上側のスライド板本体８１の側面下部には、ストッパ孔８１ｂが形成されている。このストッパ孔８１ｂは、図３に示すように、その下縁部が連結板８２の上端とほぼ同一高さとなるように形成されている。
【００１７】
また、スライド板８には、上下方向への力を付与してスライド板８を上下に移動するためのリンク機構９が付設されている。このリンク機構９は、前記ハンドル４とスライド板８の上側のスライド板本体８１とを連結するものであり、ハンドル４の回動操作にリンクしてスライド板８を上下に移動させる。
【００１８】
さらに、スライド板８の側方には、スライド板８の上下方向への移動を阻止するためストッパ機構１０が配置されている。このストッパ機構１０は、前記第２の錠６と連動して動作し、スライド板本体８１のストッパ孔８１ｂ及び連結板８２と係合状態をなしてスライド板８の上下方向の移動を阻止する。
【００１９】
このストッパ機構１０は、図３〜図５に示すように、ストッパ取付片１０１にシリンダ錠である第２の錠６を付設して一体をなすものであり、前記スライド板本体８１のストッパ孔８１ｂ内に進退可能なストッパ片１０２と、ストッパ片１０２と第２の錠６とを連結するリンク片１０３を備えている。ストッパ片１０２は、下部に形成された長孔１０２ａにネジ１０４を遊挿してストッパ取付片１０１に付設されるとともに、上部においてリンク片１０３と連結することにより、第２の錠６の回動操作とリンクして回動する。また、ストッパ片１０２は、ストッパ孔８１ｂ及び連結板８２との係合部を屈曲形成して所定の強度を維持している。ここで、ストッパ機構１０は、ストッパ片１０２が、スライド板本体８１のストッパ孔８１ｂの下縁部及び連結板８２の上端に係合するように配置されている。
【００２０】
このような構成により、外扉３を開放状態から閉じると、ロック板７の前端部とスライド板８の係止孔８１ａの上縁部が当接するが、ロック板７は前端の傾斜部に案内されて下方に回動しながらロック溝７ａにスライド板８の係止孔８１ａが進入する。これによりロック板７とスライド板８が係合状態となる。さらに、第２の鍵Ｋ２を用いて第２の錠６を施錠方向に回動操作すると、第２の錠６と連動してストッパ機構１０のストッパ片１０２が、スライド板８のストッパ孔８１ｂ内に進入する。これによりストッパ片１０２はストッパ孔８１ｂの上縁部及び連結板８２の上端部と係合状態となる。最後に第１の鍵Ｋ１を用いて第１の錠５を施錠すれば、外扉３の自動販売機本体２へのロックが完了する。
【００２１】
外扉３を閉状態から開放するには、まず第１の鍵Ｋ１を用いて第１の錠５を解錠するとともに、第２の鍵Ｋ２を用いて第２の錠６を解錠する。第２の錠６の解錠動作により、ストッパ片１０２とスライド板本体８１及び連結板８２との係合状態が解かれる。次いで、ハンドル４を回動操作しスライド板８を上方に移動させると、ロック板７とスライド板８との係合状態が解かれるので、そのままハンドル４を手前に引けば外扉３は開放される。
【００２２】
ここで、外扉３を閉状態から開放するには、上述したようにスライド板８を上方に移動させ、ロック板７とスライド板８との係合状態を解くとともに、スライド板８とストッパ機構１０のストッパ片と係合状態を解くことが必須となる。したがって、従来の自動販売機のようにロック板７とスライド板８との係合状態だけで外扉３をロックするものと比較して、防盗効果の高いものとなる。すなわち、従来の構造では、第１の錠４やリンク機構９を何らかの手段で破壊すればスライド板８を移動させることが可能であったが、本実施の形態のものでは、このような場合にもストッパ機構１０によりスライド板８の移動が阻止されるものである。また、リンク機構１０のストッパ片１０２は、スライド板本体８１のストッパ孔８１ｂの上縁部と係合するとともに、連結板８２の上端とも係合する構成となっている。このため、何らかの手段によりスライド板本体８１と連結板８２の連結状態が解除された場合にも、少なくとも一方がストッパ片１０２と係合していれば、何れかのロック板７とスライド板８との係合状態を維持できるので、さらに防盗効果が優れたものとなっている。
【００２３】
このように、本実施の形態にかかる自動販売機の扉ロック機構によれば、リンク機構９を悪戯や破壊等しても、ストッパ機構１０によりスライド板８がロック板７との係合状態から移動することがない。また、スライド板８が複数のスライド板本体８１と連結板８２とからなるとともに、前記ストッパ機構１０は連結板８２及び上側のスライド板本体８１の双方と係合する構造となっているので、例えば悪戯等により当該連結が解除されてストッパ機構１０との係合が解除されても、スライド板本体８１又は連結板８１の一方との係合が維持されていれば、外扉３のロック状態を維持することができる。したがって、防盗効果に優れたものとなる。
【００２４】
また、外扉３には第１の錠５及び第２の錠６という２つの錠が設置してあるので、この錠による視覚効果により防盗効果をさらに向上することができる。
【００２５】
【発明の効果】
以上詳述したように、本発明によれば、スライド部材を上下に移動させてロック部材と係合させるための機構を悪戯や破壊等しても、スライド部材とロック部材が係合した状態からのスライド部材の移動を阻止するストッパ機構により、スライド部材がロック状態から移動することがない。また、スライド部材が複数のスライド部材本体と連結部材とからなるとともに、前記ストッパ機構は連結部材及び何れかのスライド部材本体の双方と係合する構造となっているので、悪戯等により当該連結が解除されて何れかのスライド部材本体又は連結部材とストッパ機構との係合が解除されても、他の連結部材又はスライド部材本体との係合が維持されていれば、扉のロック状態を維持することができる。したがって、防盗効果の高いものとなる。
【図面の簡単な説明】
【図１】自動販売機の外観斜視図
【図２】自動販売機の扉ロック機構を説明する概略斜視図
【図３】スライド板及びストッパ機構の拡大斜視図
【図４】ストッパ機構を説明する外扉の拡大断面図
【図５】ストッパ機構を説明する外扉の拡大背面図
【図６】従来の自動販売機の扉ロック機構を説明する概略斜視図
【符号の説明】
１…自動販売機、２…自動販売機本体、３…外扉、４…ハンドル、５…第１の錠、６…第２の錠、７…ロック板、７ａ…ロック溝、８…スライド板、８１…スライド板本体、８１ａ…係止孔、８１ｂ…ストッパ孔、８２…連結板、９…リンク機構、１０…ストッパ機構、１０１…ストッパ取付片、１０２…ストッパ片
【図１】
0004215311.tif 000002
【図２】
0004215311.tif 000003
【図３】
0004215311.tif 000004
【図４】
0004215311.tif 000005
【図５】
0004215311.tif 000006
【図６】
0004215311.tif 000007